(57)【要約】【課題】携帯機器を用いずに利用できる車両制御システムを提供する。【解決手段】この車両制御システム１は、種の車載機器９ａ〜９ｆに関する設定情報が１つ以上記憶された記憶部３と、車両に配設された操作入力部７と、記憶部３に記憶された設定情報のうち操作入力部７への操作入力により特定される設定情報に基づいて各種の車載機器９ａ〜９ｆを制御する制御部１１とを備える。【選択図】図１
2005205936.tif 000002
【特許請求の範囲】
【請求項１】
各種の車載機器に関する設定情報が１つ以上記憶された記憶部と、
車両に配設された操作入力部と、
前記記憶部に記憶された前記設定情報のうち前記操作入力部への操作入力により特定される設定情報に基づいて前記各種の車載機器を制御する制御部と、
を備えることを特徴とする車両制御システム。
【請求項２】
前記記憶部には、それぞれ前記各種の車載機器に関する設定情報と対応付けられた１つ以上の選択項目の一覧情報が記憶され、
前記記憶部に記憶された前記一覧情報を報知する報知部を更に備え、
前記操作入力部は、前記報知部により報知された前記一覧情報の中から所望の選択項目を選択する機能を有し、
前記制御部は、前記操作入力部により選択された前記選択項目に対応付けられた前記設定情報に基づいて前記各種の車載機器を制御することを特徴とする請求項１に記載の車両制御システム。
【請求項３】
前記操作入力部の操作により前記一覧情報の中に新たな前記選択項目を登録する登録手段を更に備えることを特徴とする請求項１又は請求項２に記載の車両制御システム。
【請求項４】
前記報知部は、表示装置として構成されて前記一覧情報を該表示装置に表示して報知することを特徴とする請求項１〜請求項３の何れかに記載の車両制御システム。
【発明の詳細な説明】
【技術分野】
【０００１】
本発明は、各種の車載機器を制御する車両制御システムに関する。
【背景技術】
【０００２】
この種の車両制御システムとして、例えば、ＩＣカード等の携帯機器にドライバの運転嗜好や運転技量等のドライバ情報を登録しておき、運転時に車両側の読取装置でそのドライバ情報を読み取る事により、ドライバに適した設定で各種の車載機器を制御するものが提案されている。
【発明の開示】
【発明が解決しようとする課題】
【０００３】
従来の車両制御システムでは、携帯機器に登録されたドライバ情報に基づいて各種の車載機器が制御される為、即ちユーザは自分専用の携帯機器を持つ必要がある為、簡単に新規のユーザを追加登録できないという欠点や、携帯機器を紛失すると当該システムを利用できなくなるという欠点がある。
【０００４】
そこで、この発明の課題は、第１に、携帯機器を用いずに利用できる車両制御システムを提供すること、第２に、簡単に新規のユーザを追加登録できる車両制御システムを提供することにある。
【課題を解決するための手段】
【０００５】
上記課題を解決する為には、請求項１に記載の発明は、各種の車載機器に関する設定情報が１つ以上記憶された記憶部と、車両に配設された操作入力部と、前記記憶部に記憶された前記設定情報のうち前記操作入力部への操作入力により特定される設定情報に基づいて前記各種の車載機器を制御する制御部と、を備えるものである。
【０００６】
請求項２に記載の発明は、前記記憶部には、それぞれ前記各種の車載機器に関する設定情報と対応付けられた１つ以上の選択項目の一覧情報が記憶され、前記記憶部に記憶された前記一覧情報を報知する報知部を更に備え、前記操作入力部は、前記報知部により報知された前記一覧情報の中から所望の選択項目を選択する機能を有し、前記制御部は、前記操作入力部により選択された前記選択項目に対応付けられた前記設定情報に基づいて前記各種の車載機器を制御するものである。
【０００７】
請求項３に記載の発明は、前記操作入力部の操作により前記一覧情報の中に新たな前記選択項目を登録する登録手段を更に備えるものである。
【０００８】
請求項４に記載の発明は、前記報知部は、表示装置として構成されて前記一覧情報を該表示装置に表示して報知するものである。
【発明の効果】
【０００９】
請求項１に記載の発明によれば、車両に操作入力部が配設され、記憶部に記憶された設定情報のうち、その操作入力部への操作入力により特定される設定情報に基づいて各種の車載機器が制御される為、即ち従来の様に携帯機器に登録されたドライバ情報に基づいて各種の車載機器が制御されない為、携帯機器を用いずに当該システムを利用できる。
【００１０】
請求項２に記載の発明によれば、操作入力部により一覧情報の中から所望の選択項目を選択すると、記憶部に記憶された設定情報のうち、その選択した選択項目に対応付けられた設定情報に基づいて各種の車載機器が制御される為、記憶部に記憶された設定情報の中から好みの設定情報を自由に選択できてユーザの好みの設定で自由に各種の車載機器を制御できる。又、それぞれ各種の車載機器に関する設定情報と対応付けられた１つ以上の選択項目の一覧情報が報知される為、その報知される一覧情報により記憶部に記憶された設定情報の登録状況を容易に把握できる。
【００１１】
請求項３に記載の発明によれば、操作入力部の操作により一覧情報の中に新たな選択項目を登録できる為（即ち従来の様に携帯機器を用いない為）、例えば新規のユーザを追加登録する場合でも、簡単に追加登録できる。
【００１２】
請求項４に記載の発明によれば、報知部は、表示装置として構成されて前記一覧情報を該表示装置に表示して報知する為、視覚的に認識し易い方法で選択項目の一覧情報を報知できる。
【発明を実施するための最良の形態】
【００１３】
この実施の形態の車両制御システムは、それぞれ各種の車載機器に関する設定情報が対応付けられた１つ以上の選択項目の一覧情報を記憶しておき、その一覧情報の中からユーザの選択した選択項目に対応付けられた設定情報に基づいて各種の車載機器を制御する事により、ユーザの好みの設定で各種の車載機器を制御するものである。ここでは、複数のユーザを想定しており、各選択項目はそれぞれ、各ユーザが自分の好みに応じて設定情報を対応付けて登録したものである（従って、各ユーザは、自分の登録した選択項目を選択する事により自分の好みの設定で各種の車載機器を制御させる事ができる）。
【００１４】
この車両制御システム１は、図１の様に、上記の各種の車載機器に関する設定情報及び上記の一覧情報が記憶された例えば不揮発性記憶装置である記憶部３と、記憶部３に記憶された前記一覧情報をユーザに報知する報知部５と、当該車両に配設されて報知された一覧情報の中から所望の選択項目を選択する為の操作入力部７と、操作入力部７により選択された選択項目に対応付けられた設定情報に基づいて各種の車載機器９ａ〜９ｆを制御する制御部（登録手段）１１とを備える。
【００１５】
ここでは、各種の車載機器９ａ〜９ｆとして例えば、ミラー角度調整装置９ａ、カーオーディオ９ｂ、カーテレビ９ｃ、エアコン９ｄ、運転席のシート位置調整装置９ｅ及びハンドル位置調整装置９ｆを対象とする。
【００１６】
報知部５は、例えば表示装置として構成されて運転席周辺（例えばセンターパネル）に配置されており、例えば図５の様に、上記の選択項目１３ａの一覧情報１３を表示装置５に表示して報知する。ここでは、各選択項目１３ａはそれぞれ、ドライバ番号（登録番号）とドライバ名（ユーザ名）とから構成される。
【００１７】
操作入力部７は、例えば表示装置５の表示面上に配置されたタッチパネルとして構成され、表示装置５の表示画面上の各種項目等の選択や表示画面への文字入力を行う為の手段として機能する。
【００１８】
制御部１１は、例えば図２の処理手順に従って、操作入力部７の操作に応じて表示装置５の表示画面を切替制御すると共に、各種の表示画面に対して行われる操作入力部７の操作に応じて、一覧情報１３の中から選択された選択項目１３ａに対応付けられた設定情報に基づいて各種の車載機器９ａ〜９ｆを制御する他に、選択項目１３ａの新規登録や各選択項目１３ａに対応付けられた設定情報の変更を行う。
【００１９】
即ち、制御部１１は、ステップＳ１で、例えば操作入力部７の操作によりメインメニュー画面の表示要求を受けると、ステップＳ２に進み、車速信号に基づいて自車両が停車中（車速＝０）か否かを判定し、停止中でない場合はその表示要求を無効と見なしてステップＳ１に戻り、停車中の場合のみその表示要求を有効と見なしてステップＳ３に進む。
【００２０】
ステップＳ３では、制御部は、例えば図３の様に表示装置５にメインメニュー画面１５を表示させてステップＳ４に進む。ここでは、メインメニュー画面１５は、ユーザ登録する場合に選択する「ユーザ登録」項目１５ａと、登録済みのユーザがこのシステム１を利用する場合に選択する「ドライバ選択」項目１５ｂとから構成される。
【００２１】
そして、制御部１１は、ステップＳ４で、操作入力部７の操作により「ユーザ登録」１５ａが選択されたか否かの検出を行い、ステップＳ５で、操作入力部７の操作により「ドライバ選択」１５ｂが選択されたか否かの検出を行い、「ユーザ登録」１５ａの選択を検出した場合はステップＳ４−１に進み、「ドライバ選択」１５ｂの選択を検出した場合はステップＳ５−１に進む。
【００２２】
ステップＳ４−１に進んだ場合（即ち「ユーザ登録」１５ａが選択された場合）、制御部１１は、例えば図４の様に表示装置５にユーザ登録画面１７を表示させてステップＳ４−２に進む。尚、ユーザ登録画面１７は、当該ユーザに割り当てたドライバ番号（登録番号）１７ａと、ユーザ名記入欄１７ｂと、ユーザ名記入欄への記入を確定する「ＯＫ」ボタン１７ｃとから構成される。即ち、このユーザ登録画面１７に対し、ユーザは、操作入力部７を操作してユーザ名記入欄１７ｂに自分の氏名（例えば「住友  太郎」）を記入して「ＯＫ」ボタン１７ｃを選択する。
【００２３】
ステップＳ４−２では、制御部１１は、ユーザ登録画面１７の「ＯＫ」ボタン１７ｃが選択されたか否かの検出を行い、「ＯＫ」ボタン１７ｃの選択を検出すると、図５の様に、ユーザ名記入欄１７ｂに記入されたユーザ名（例えば「住友  太郎」）及び当該ユーザに割り当てたドライバ番号（例えば「ドライバ番号＝０６」）を組み合わせたものを上記の選択項目（例えば１３ａ−１）として登録する。そしてステップＳ４−３に進む。
【００２４】
ステップＳ４−３では、制御部１１は、例えば図６の様に表示装置５に設定情報の登録画面１９を表示させてステップＳ４−４に進む。
【００２５】
ここでは、設定情報の登録画面１９は、例えば、全ての車載機器９ａ〜９ｆの現在の設定値を記憶するか否かを選択する為の「全情報」項目１９ａと、それぞれ個別に各車載機器９ａ〜９ｆの現在の設定値を記憶部３に記憶するか否かを選択する為の「ミラー角度」項目１９ｂ，「オーディオ選局設定」項目１９ｃ，「ＴＶ選局設定」項目１９ｄ，「エアコン設定」項目１９ｅ，「シート位置設定」項目１９ｆ及び「ハンドル位置設定」項目１９ｇと、各項目１９ａ〜１９ｇのうちの「Ｙｅｓ」の選択された項目に対応する車載機器の設定値が変更される毎にその変更値を自動的に記憶部３に更新記憶させる場合に選択する「自動記憶」ボタン１９ｈと、各項目１９ａ〜１９ｇ及びボタン１９ｈの選択状態を確定する「ＯＫ」ボタン１９ｉとから構成される。各項目１９ａ〜１９ｇは、その項目を選択する場合に選択される「Ｙｅｓ」ボタンと、その項目を選択しない場合に選択される「Ｎｏ」ボタンとから構成される。
【００２６】
即ち、この設定情報の登録画面１９に対し、ユーザは、全ての車載機器９ａ〜９ｆの現在の設定値を設定情報として記憶部３に記憶したい場合は、「全情報」項目１９ａの「Ｙｅｓ」を選択し、他方、各車載機器９ａ〜９ｆのうちの一部のものの現在の設定値だけを設定情報として記憶部３に記憶したい場合は、「全情報」項目１９ａの「Ｎｏ」を選択すると共に各項目１９ａ〜１９ｇのうちの当該一部の車載機器に対応する項目のみ「Ｙｅｓ」を選択し、そして更に、それら各場合に於いて各項目１９ａ〜１９ｇのうちで「Ｙｅｓ」の選択された項目に対応する車載機器の設定値が変更される毎にその変更値を設定情報として記憶部３に更新記憶したい場合は、更に「自動記憶」１９ｈを選択し、選択が決まれば「ＯＫ」ボタン１９ｉを選択する。
【００２７】
尚、より詳細には、ステップＳ４−３では、制御部１１は、表示装置５に設定情報の登録画面１９を表示させると共に、自車両の車両状態（例えばエンジンが停止状態か否か）に応じて、設定情報の登録画面１９の各項目１９ｂ〜１９ｇのうちで選択可能（登録可能）なものを制限する。例えば、各項目１９ｂ〜１９ｇのうち「シート位置設定」項目１９ｆ及び「ハンドル位置調整」項目１９ｇについては、エンジン停止状態でのみ選択を許可する。同様に、制御部１１は、設定情報の登録画面１９で「全情報」項目１９ａが選択された場合は、後述のステップＳ４−５に於いて、自車両の車両状態に応じて、各車載機器９ａ〜９ｆの設定値のうちで記憶部３に設定情報として記憶可能なものを制限する。例えば、各車載機器９ａ〜９ｆの設定値のうちシート位置調整装置９ｅの設定値及びハンドル位置調整装置９ｆの設置値については、エンジン停止状態でのみ記憶部３に記憶する。これにより、各車載機器９ａ〜９ｆの設定値のうち例えばエンジン作動中に記憶部３に記憶される事が適切でない車載機器の設定値については、エンジン作動中の記憶部３への記憶が禁止される。
【００２８】
ステップＳ４−４では、制御部１１は、設定情報の登録画面１９の「ＯＫ」ボタン１９ｉが選択されたか否かの検出を行い、その「ＯＫ」ボタン１９ｉの選択を検出するとステップＳ４−５に進む。
【００２９】
ステップＳ４−５では、制御部１１は、設定情報の登録画面１９の各項目等１９ａ〜１９ｈの選択状態に基づいて、各項目１９ａ〜１９ｇのうち「Ｙｅｓ」の選択された項目に対応する車載機器の現在の設定値（但しエンジン作動中は、各車載機器の設定値のうちエンジン作動中の記憶部３への記憶が禁止されているものを除く。）をステップＳ４−２で登録された選択項目（例えば１３ａ−１）に対応付けて記憶部３に記憶すると共に、更に「自動記憶」１９ｈが選択されている場合は各項目１９ａ〜１９ｇのうちで「Ｙｅｓ」の選択された項目に対応する車載機器の設定値が変更される毎にその変更値を自動的に更新記憶する。即ち、このステップＳ４−５では、各種の車載機器９ａ〜９ｆの設定値を予めユーザの好みの設定値に設定しておく事により、そのユーザの好みの設定値が設定情報として選択項目（例えば１３ａ−１）に対応付けられて記憶される。そしてステップＳ４に戻る。
【００３０】
他方、ステップＳ５からステップＳ５−１に進んだ場合（「ドライバ選択」１５ｂが選択された場合）、制御部１１は、例えば図５の様に表示装置５にドライバ選択画面２１を表示させてステップＳ５−２に進む。尚、ドライバ選択画面２１は、それぞれ各ユーザにより記憶部３内に登録された各選択項目１３ａの一覧情報１３が表記されて構成される。即ち、このドライバ選択画面２１に対し、ユーザは、操作入力部７を操作して一覧情報１３の中から所望の選択項目（自分の氏名の表記された選択項目（例えば１３ａ−１））を選択する。
【００３１】
ステップＳ５−２では、制御部１１は、選択項目１３ａの選択が行われたか否かの検出を行い、選択項目１３ａの選択が行われた事を検出すると、ステップＳ５−３に進み、例えば図７の様に表示装置５に設定情報の呼出画面２３を表示させてステップＳ５−４に進む。
【００３２】
尚、設定情報の呼出画面２３は、例えば、記憶部３から当該選択された選択項目（例えば１３ａ−１）に対応付けられて記憶された各車載機器（例えば９ａ〜９ｆ）の設定情報のうちの全ての車載機器の設定情報を呼び出すか否かを選択する為の「全情報」項目２３ａと、それぞれ個別に記憶部３から当該選択された選択項目（例えば１３ａ−１）に対応付けられて記憶された各車載機器（例えば９ａ〜９ｆ）の設定情報を呼び出すか否かを選択する為の「ミラー角度」項目２３ｂ，「オーディオ選局設定」項目２３ｃ，「ＴＶ選局設定」項目２３ｄ，「エアコン設定」項目２３ｅ，「シート位置設定」項目２３ｆ及び「ハンドル位置」項目２３ｇと、各呼出項目２３ａ〜２３ｇの選択状態を確定する「ＯＫ」ボタン２３ｈと、既に記憶された各車載機器の設定情報を変更する場合に選択される「設定変更」ボタン２３ｉとから構成される。各呼出項目２３ａ〜２３ｇは、その項目を選択する場合に選択される「Ｙｅｓ」ボタンと、その項目を選択しない場合に選択される「Ｎｏ」ボタンとから構成される。
【００３３】
即ち、この設定情報の呼出画面２３に対し、ユーザは、選択した選択項目（例えば１３ａ−１）に記憶された各車載機器の設定情報のうちの全ての車載機器の設定情報を呼び出したい場合は、「全情報」項目２３ａの「Ｙｅｓ」を選択して「ＯＫ」ボタン２３ｈを選択し、他方、選択した選択項目（例えば１３ａ−１）に記憶された各車載機器の設定情報のうちの一部の車載機器の設定情報だけを呼び出したい場合は、「全情報」項目２３ａの「Ｎｏ」を選択すると共に各呼出項目２３ｂ〜２３ｇのうちの当該一部の車載機器に対応する項目の「Ｙｅｓ」だけを選択して「ＯＫ」ボタン２３ｈを選択し、当該選択項目（例えば１３ａ−１）に対応付けられて記憶された各車載機器の設定情報を変更したい場合は「設定変更」２３ｉを選択する。尚、各呼出項目２３ａ〜２３ｇのうち、その項目に対応する車載機器の設定情報が記憶部３に記憶されていないものについては、呼び出しができないので自動的に「Ｎｏ」が選択される。
【００３４】
尚、より詳細には、ステップＳ５−３では、制御部１１は、表示装置５に設定情報の呼出画面２３を表示させると共に、自車両の車両状態（例えばエンジンが停止状態か否か）に応じて、設定情報の呼出画面２３の各呼出項目２３ｂ〜２３ｇのうちで選択可能（呼出可能）なものを制限する。例えば、各呼出項目２３ｂ〜２３ｇのうち「シート位置設定」項目２３ｆ及び「ハンドル位置調整」項目２３ｇについてはエンジン停止状態でのみ選択を許可する。同様に、制御部１１は、設定情報の呼出画面２３で「全情報」項目２３ａが選択された場合は、後述のステップＳ５−８に於いて、自車両の車両状態に応じて、各車載機器９ａ〜９ｆのうち設定情報に基づいて制御するものを制限する。例えば、各車載機器９ａ〜９ｆのうちシート位置調整装置９ｅ及びハンドル位置調整装置９ｆについてはエンジン停止状態でのみ設定情報に基づいて制御する。これにより、各車載機器９ａ〜９ｆのうち例えばエンジン作動中に設定の制御が行われる事が適切でないものについては、エンジン作動中の設定の制御（調整）が禁止される。
【００３５】
そして、制御部１１は、ステップＳ５−４で、設定情報の呼出画面２３の「設定変更」２３ｉが選択されたか否かの検出を行い、ステップＳ５−５で、設定情報の呼出画面２３の「ＯＫ」ボタン２３ｈが選択されたか否かの検出を行い、「設定変更」２３ｉの選択を検出するとステップＳ５−６に進み、「ＯＫ」ボタン２３ｈの選択（即ち呼出項目２３ａ〜２３ｇの選択の完了）を検出するとステップＳ５−８に進む。
【００３６】
ステップＳ５−６に進んだ場合（「設定変更」２３ｉが選択された場合）、制御部１１は、例えば図６の様に表示装置５に設定情報の登録画面１９を表示させてステップＳ５−７に進み、ステップＳ４−３〜Ｓ４−５と同様の処理手順で設定情報の登録画面１９の各項目１９ａ〜１９ｈの選択状態を変更（例えば各項目１９ａ〜１９ｇのうちで「Ｎｏ」の選択された項目を「Ｙｅｓ」に変更等）する事により、ステップＳ５−２で選択された選択項目（たとえは１３ａ−１）に対応付けられた各車載機器の設定情報の変更を行い、その変更が終了するとステップＳ５−４に戻る。
【００３７】
他方、ステップＳ５−５からステップＳ５−８に進んだ場合（設定情報の呼出画面２３の「ＯＫ」ボタン２３ｈが選択された場合）、制御部１１は、設定情報の呼出画面２３の各呼出項目２３ａ〜２３ｇの選択状態に基づいて、各呼出項目２３ａ〜２３ｇのうち「Ｙｅｓ」の選択された項目に対応する車載機器（但しエンジン作動中は、各車載機器のうちエンジン作動中での設定の制御が禁止されているものを除く。）だけをステップＳ５−２で選択された選択項目（例えば１３ａ−１）に対応付けられた各車載機器の設定情報に基づいて制御する。これにより、各種の車載機器９ａ〜９ｆがユーザの好みの設定で制御される。そしてステップＳ５に戻る。
【００３８】
以上の様に構成された車両制御システム１によれば、車両に操作入力部７が配設され、記憶部３に記憶された設定情報のうち、その操作入力部７への操作入力により特定される設定情報に基づいて各種の車載機器９ａ〜９ｆが制御される為、即ち従来の様に携帯機器に登録されたドライバ情報に基づいて各種の車載機器９ａ〜９ｆが制御されない為、携帯機器を用いずに当該システムを利用できる。
【００３９】
又、操作入力部７により一覧情報１３の中から所望の選択項目（例えば１３ａ−１）を選択すると、記憶部３に記憶された設定情報のうち、その選択した選択項目１３ａ−１に対応付けられた設定情報に基づいて各種の車載機器９ａ〜９ｆが制御される為、記憶部３に記憶された設定情報の中から好みの設定情報を自由に選択できてユーザの好みの設定で自由に各種の車載機器９ａ〜９ｂを制御できる。又、それぞれ各種の車載機器９ａ〜９ｂに関する設定情報と対応付けられた１つ以上の選択項目１３ａの一覧情報１３が報知される為、その報知される一覧情報１３により記憶部３に記憶された設定情報の登録状況を容易に把握できる。
【００４０】
又、操作入力部７の操作により一覧情報１３の中に新たな選択項目１３ａを登録できる為（即ち従来の様に携帯機器を用いない為）、例えば利用者を新たに追加登録する場合でも、簡単に利用者を追加登録できる。
【００４１】
又、報知部５は、表示装置として構成されて一覧情報１３を表示装置５に表示して報知する為、視覚的に認識し易い方法で選択項目１３ａの一覧情報１３を報知できる。
【００４２】
又、操作入力部７は、表示装置５の表示面上に配置されたタッチパネルとして構成される為、多様な操作入力が可能となり操作性を向上できる。
【００４３】
又、記憶部３は不揮発性記憶装置である為、電源が切れても選択項目１３ａの一覧情報１３が記憶部３から消去される事を防止でき、一覧情報１３の保存の安全性を向上できる。
【００４４】
尚、この実施の形態では、操作入力部７がタッチパネルとして構成される場合で説明したが、この様に限定されるものではなく、例えば表示画面上のカーソル等を移動させて表示画面の各項目等を選択するジョイスチックと該ジョイスチックによる選択を決定するボタンからなる機械式スイッチとして構成してもよく、又は音声入力部として構成してもよい。その様にすれば、ジョイスチック等の機械式スイッチとして構成した場合は、タッチパネルの場合と同様の効果を得る事ができ、他方、音声入力部として構成した場合は、手を使わずに操作でき操作性をより向上できる。
【００４５】
尚、この実施の形態では、報知部５が表示装置として構成されて選択項目１３ａの一覧情報１３を表示装置５に表示して報知する場合で説明したが、この様に限定されるものではなく、例えば音声出力装置として構成して一覧情報１３を音声で報知してもよい。その様にすれば、聴覚的に認識し易い方法で一覧情報１３を報知できる。
【００４６】
尚、この実施の形態では、複数のユーザを想定して各選択項目１３ａにそれそれ各ユーザの好みに応じた設定情報を対応付ける場合で説明したが、その様に限定されるものではなく、例えば一人のユーザを想定して各選択項目１３ａにそれぞれユーザの車の用途に応じた設定情報（例えば通勤用の設定情報やドライブ用の設定情報）を対応付ける様にしても構わない。
【図面の簡単な説明】
【００４７】
【図１】本発明の実施の形態に係る車両制御システムの構成概略図である。
【図２】本発明の実施の形態に係る車両制御システムの動作を説明するフローチャートである。
【図３】図１の表示装置に表示されるメインニュー画面の一例図である。
【図４】図１の表示装置に表示されるユーザ登録画面の一例図である。
【図５】図１の表示装置に表示されるドライバ選択画面の一例図である。
【図６】図１の表示装置に表示される設定情報の登録画面の一例図である。
【図７】図１の表示装置に表示される設定情報の呼出画面の一例図である。
【符号の説明】
【００４８】
１  車両制御システム
３  記憶部
５  報知部
７  操作入力部
９ａ〜９ｆ  車載機器
１１  制御部
１３  一覧情報
１３ａ，１３ｂ  選択項目
【図１】
2005205936.tif 000003
【図２】
2005205936.tif 000004
【図３】
2005205936.tif 000005
【図４】
2005205936.tif 000006
【図５】
2005205936.tif 000007
【図６】
2005205936.tif 000008
【図７】
2005205936.tif 000009